(57)【要約】【課題】畳床の種類を少なくしてコストを削減すると共にレイアウトを自由に変更できるようにし、簡単な施工で複数の畳床に給電でき、尚且つ本物の畳に近い外観を有する畳床暖房装置を提供する。【解決手段】畳床２に内蔵したヒータ５により床暖房を行う畳床暖房装置１である。該畳床暖房装置１は畳床２のヒータ５に給電するための長尺状の畳縁を模した給電部材３を有している。給電部材３の側面に給電用接続部１１を設ける。畳床２の側面に給電部材接続部を設ける。畳床２を側面が給電部材３の側面に沿うように配置する。給電部材３の給電用接続部１１に畳床２の給電部材接続部を電気的に接続する。【選択図】　　　　図１
2004060973.tif 000002
【特許請求の範囲】
【請求項１】
畳床に内蔵したヒータにより床暖房を行う畳床暖房装置であって、該畳床暖房装置は畳床のヒータに給電するための長尺状の畳縁を模した給電部材を有し、給電部材の側面に給電用接続部を設けると共に畳床の側面に給電部材接続部を設け、畳床を側面が給電部材の側面に沿うように配置し、給電部材の給電用接続部に畳床の給電部材接続部を電気的に接続して成ることを特徴とする畳床暖房装置。
【請求項２】
上記給電部材の両側に畳床を配置し、給電部材の両側面の長手方向において位置を違わせた箇所に夫々給電用接続部を設け、各給電用接続部に各畳床の側面に設けた給電部材接続部を電気的に接続して成ることを特徴とする請求項１記載の畳床暖房装置。
【請求項３】
上記給電部材の両側に畳床を配置し、給電部材の両側面の長手方向に直交する箇所に夫々給電用接続部を設け、各畳床の側面の長手方向における中央位置に給電部材接続部を夫々設け、各給電用接続部に各畳床の給電部材接続部を電気的に接続して成ることを特徴とする請求項１記載の畳床暖房装置。
【請求項４】
上記給電部材の下端部に側方に突出する畳床載置用片を形成し、該畳床載置用片に畳床の側端部を載設して成ることを特徴とする請求項１〜３のいずれかに記載の畳床暖房装置。
【請求項５】
上記給電部材の上面を畳縁を模した布で形成して成ることを特徴とする請求項１〜４のいずれかに記載の畳床暖房装置。
【請求項６】
上記給電部材の上面の幅方向の中央部に給電部材の長手方向に伸びる畳間の隙間を模した溝を形成して成ることを特徴とする請求項１〜５のいずれかに記載の畳床暖房装置。
【発明の詳細な説明】
【０００１】
【発明の属する技術分野】
本発明は、畳床に内蔵したヒータにより床暖房を行う畳床暖房装置に関するものである。
【０００２】
【従来の技術】
従来から、図５に示すような畳床暖房装置１′が利用されている。この畳床暖房装置１′は矩形状の畳床２′を複数有しており、各畳床２′には床暖房を行うためのヒータ５が内蔵されている。各畳床２′は側面に自身のヒータ５に電気的に接続されるコネクタ１４や該コネクタ１４と電気的に接続されるコネクタ受け部１５が設けられており、畳床２′に備えたコネクタ１４を他の畳床２′に備えたコネクタ受け部１５に接続することで、給電された畳床２′の電力を他の給電されていない畳床２′に供給し、これにより複数の畳床２′のヒータ５に給電を行って、床暖房を行っていた。
【０００３】
しかしながら、上記の畳床暖房装置１′は図に示されるようにコネクタ１４のみ備えた畳床２Ａ′や、コネクタ受け部１５のみ備えた畳床２Ｄ′や、コネクタ１４とコネクタ受け部１５の両方を備え、これらを異なる側面に配置した畳床２Ｂ′、コネクタ１４とコネクタ受け部１５の両方を備え、畳床２Ｂ′とはコネクタ１４とコネクタ受け部１５を設ける側面を違えた畳床２Ｃ′等を接続するため、畳床２′の種類が多くコストがかかってしまう。そして、このように畳床２′の種類が多いため、畳床２′のレイアウトを変更することができなかった。また、畳床２Ｂ′、２Ｃ′のように異なる側面にコネクタ１４とコネクタ受け部１５の両方を設けたものにおいては、畳床２Ｂ′、２Ｃ′を接続する場合、畳床２Ｂ′、２Ｃ′のコネクタ１４やコネクタ受け部１５が他の畳床２へ干渉してしまうため接続が難しく、接続に手間がかかってしまっていた。また、上記の畳床２には本物の畳にある畳縁が模されておらず、畳床暖房装置１の外観が畳に見えなかった。
【０００４】
【発明が解決しようとする課題】
本発明は上記の点に鑑みてなされたものであり、その目的とするところは、畳床の種類を少なくしてコストを削減すると共にレイアウトを自由に変更できるようにし、簡単な施工で複数の畳床に給電でき、尚且つ本物の畳に近い外観を有する畳床暖房装置を提供することを課題とするものである。
【０００５】
【課題を解決するための手段】
上記課題を解決するために本発明に係る畳床暖房装置は、畳床２に内蔵したヒータ５により床暖房を行う畳床暖房装置１であって、該畳床暖房装置１は畳床２のヒータ５に給電するための長尺状の畳縁を模した給電部材３を有し、給電部材３の側面に給電用接続部１１を設けると共に畳床２の側面に給電部材接続部を設け、畳床２を側面が給電部材３の側面に沿うように配置し、給電部材３の給電用接続部１１に畳床２の給電部材接続部を電気的に接続して成ることを特徴とするものである。
【０００６】
このように、畳床暖房装置１は長尺状の給電部材３を有し、給電部材３の側面に給電用接続部１１を設けると共に畳床２の側面に給電部材接続部を設け、畳床２を側面が給電部材３の側面に沿うように配置し、給電部材３の給電用接続部１１に畳床２の給電部材接続部を電気的に接続することで、複数の畳床２を給電部材３に接続する場合、接続により複数の畳床２のヒータ５に給電することができるのは勿論のこと、尚且つ給電部材３の一側面に接続される複数の畳床２の給電部材接続部を同じ側面の同じ箇所に設けることができ、これにより畳床２の種類を少なくすることができる。またこの場合、畳床２の給電部材３側の側面にのみ給電部材接続部を設けるので、畳床２を接続する際に給電部材接続部が他の畳床２に干渉せず、畳床２を容易に給電部材３に接続することができる。また、畳床暖房装置１は長尺状の畳縁を模した給電部材３を有しているので、畳床暖房装置１の外観を本物の畳に近づけることができる。
【０００７】
また請求項２記載の畳床暖房装置は請求項１記載の畳床暖房装置において、上記給電部材３の両側に畳床２を配置し、給電部材３の両側面の長手方向において位置を違わせた箇所に夫々給電用接続部１１を設け、各給電用接続部１１に各畳床２の側面に設けた給電部材接続部を電気的に接続して成ることを特徴とするものである。
【０００８】
このように、給電部材３の両側に畳床２を配置し、給電部材３の両側面の長手方向において位置を違わせた箇所に夫々給電用接続部１１を設けることで、給電部材３の幅を小さくすることができる。
【０００９】
また請求項３記載の畳床暖房装置は請求項１記載の畳床暖房装置において、上記給電部材３の両側に畳床２を配置し、給電部材３の両側面の長手方向に直交する箇所に夫々給電用接続部１１を設け、各畳床２の側面の長手方向における中央位置に給電部材接続部を夫々設け、各給電用接続部１１に各畳床２の給電部材接続部を電気的に接続して成ることを特徴とするものである。
【００１０】
このように給電部材３の両側に畳床２を配置し、給電部材３の両側面の長手方向に直交する箇所に夫々給電用接続部１１を設け、各畳床２の側面の長手方向における中央位置に給電部材接続部を夫々設けることで、給電部材３の両側に配置される全ての畳床２を、同じ側面の同じ箇所に給電部材接続部を設けた１種類の畳床で構成することができる。
【００１１】
また請求項４記載の畳床暖房装置は請求項１〜３のいずれかに記載の畳床暖房装置において、上記給電部材３の下端部に側方に突出する畳床載置用片７を形成し、該畳床載置用片７に畳床２の側端部を載設して成ることを特徴とするものである。
【００１２】
このように、給電部材３の下端部に側方に突出する畳床載置用片７を形成し、該畳床載置用片７に畳床２の側端部を載設することで、畳床２の重みにより給電部材３を上方に浮き上がらないようにすることができる。
【００１３】
また請求項５記載の畳床暖房装置は請求項１〜４のいずれかに記載の畳床暖房装置において、上記給電部材３の上面を畳縁を模した布８で形成して成ることを特徴とするものである。
【００１４】
このように給電部材３の上面を畳縁を模した布８で形成することで、簡単な構成で畳縁に模した給電部材３を形成することができる。
【００１５】
また請求項６記載の畳床暖房装置は請求項１〜５のいずれかに記載の畳床暖房装置において、上記給電部材３の上面の幅方向の中央部に給電部材３の長手方向に伸びる畳間の隙間を模した溝９を形成して成ることを特徴とするものである。
【００１６】
このように、給電部材３の上面の幅方向の中央部に給電部材３の長手方向に伸びる畳間の隙間を模した溝９を形成することで、より一層畳床暖房装置１の外観を本物の畳に近づけることができる。
【００１７】
【発明の実施の形態】
以下、本発明を添付図面に示す実施形態に基づいて説明する。なお以下の説明において使用される方向は、畳床２と給電部材３とを配置して形成した畳床暖房装置１における給電部材３の幅方向を単に幅方向と称し、また、この状態における給電部材３の長手方向を単に長手方向と称するものとする。
【００１８】
図１〜図３には本実施形態における畳に模した畳床暖房装置１が示されており、この畳床暖房装置１は建物に形成された床下地材やコンクリートスラブ等の設置面４に載設されるものである。
【００１９】
畳床暖房装置１は畳床２の上面側を加熱するためのヒータ５を内蔵した平面視矩形状を有する畳床２と、畳床２のヒータ５に給電するための長尺状の畳縁を模した給電部材３とを有している。本実施形態における畳床暖房装置１は図１に示すように複数の畳床２と、複数の給電部材３とを有しており、これら複数の畳床２と給電部材３とを以下に示すように設置面４に設置することで畳床暖房装置１を形成する。
【００２０】
畳床暖房装置１は図に示されるように複数の給電部材３を平行に配置し、複数の畳床２を各給電部材３の幅方向外側に給電部材３の長手方向に沿って並べて配置することで形成され、これにより各給電部材３の幅方向における両側（片側であっても良いものとする）に畳床２を配置した矩形状の畳床暖房装置１が形成される。なお、この場合、長手方向において隣合う畳床２は対向する側面が接するように配置され、長手方向において並べて配置された畳床２のうち両端に配置された畳床２ａの長手方向における外側面は、給電部材３の長手方向における両外側面と面一となっているものとする。また、給電部材３の長手方向における端部は上記ヒータ５への給電を制御するための操作部（図示省略）に接続されている。
【００２１】
また、畳床暖房装置１の幅方向において両端部に配置された畳床２の外側面には長尺上の擬似畳縁材６が畳床の外側面に沿って配置されている。この擬似畳縁材６は本物の畳と同等の硬度を有する合成樹脂で形成されており、その形状は断面矩形状を有し、また給電部材３の半分の幅長を有している。擬似畳縁材６の下端部には畳床２側に突出する畳床載置片（図示省略）が形成されている。なお上記では擬似畳縁材６を畳床暖房装置１の幅方向において端部に配置した例を示したが、これに限定されるものではなく、擬似畳縁材６は幅方向に隣合う畳床２間に配置しても良く、この場合、擬似畳縁材６を給電部材３と同じ幅で形成し、擬似畳縁材６の上面の幅方向の中央部に給電部材３の長手方向の全長に亘って伸びる本物の畳間の隙間を模した溝を形成することが好ましい。
【００２２】
以下に給電部材３と畳床２について詳述する。
【００２３】
まず給電部材３について説明すると、本実施形態における畳床暖房装置１には、給電部材３として幅方向における両側の畳床２に電気的に接続するもの（図１中３ａ、以下この給電部材３を単に給電部材３ａと称す）と、幅方向における片側の畳床２にのみ電気的に接続するもの（図１中３ｂ、以下この給電部材３を単に給電部材３ｂと称す）との２種類を使用している。なお、本実施形態における畳床暖房装置１は給電部材３ａと、給電部材３ｂとの２種類の給電部材３を使用して形成されているが、これに限定されるものではなく、例えば、給電部材３ａのみの一種類の給電部材３を使用して畳床暖房装置１を形成しても良く、また給電部材３ｂのみの１種類の給電部材３を使用して畳床暖房装置１を形成しても良いものとする。
【００２４】
まず給電部材３ａについて説明する。この給電部材３ａは本物の畳と同等の硬度を有する合成樹脂で形成されており、断面は略矩形状に形成されている。給電部材３ａの下端部には両側方に突出する畳床載置用片７が形成されており、該畳床載置用片７は給電部材３ａの長手方向全長に亘って形成されている。給電部材３ａの上面は畳縁を模した布８で形成されており、これにより給電部材３ａの上面を畳縁を模した布８で形成するという簡単な構成により、畳縁に模した給電部材３ａを形成することができる。また、この給電部材３ａの上面の幅方向の中央部には給電部材３ａの長手方向に全長に亘って伸びる本物の畳間の隙間を模した溝９が形成されている。
【００２５】
上記の給電部材３ａの両側面には図２に示されるように栓刃受け部１０を備えた給電用接続部１１が複数設けられており、これら複数の給電用接続部１１は給電部材３ａ内部に設けた給電線（図示省略）に電気的に接続されている。複数の給電用接続部１１は長手方向における所定間隔毎に幅方向における一方の側面側と他方の側面側とに違えて交互に配置されており、これにより給電部材１１の幅方向の両側面の長手方向において位置を違わせた箇所に夫々給電用接続部１１が設けられることとなる。
【００２６】
次に給電部材３ｂについて説明する。なお、この給電部材３ｂの基本的構成は上記した給電部材３ａと同じであるため図示を省略し、また重複する構成については説明を省略するものとする。
【００２７】
この給電部材３ｂの幅方向における片側の側面には栓刃受け部１０を備えた給電用接続部１１が複数設けられており、これら複数の給電用接続部１１は長手方向における所定間隔毎に配置されている。すなわち、この給電用接続部１１には前述した給電部材３ａの幅方向における片側に設けた給電用接続部１１と同じ箇所に給電用接続部１１が設けられている。
【００２８】
次に畳床２について説明すると、本実施形態における畳床２は平面視正方形状のものを使用している。この畳床２は本物の畳と同等の硬度を有する合成樹脂によって形成されており、畳床２の上面は本物の畳表に模されて形成されている。畳床２には畳床２の上面側を加熱するためのヒータ５が内蔵されており（図３参照）、このヒータ５は給電部材３から電力が供給されることで加熱される。上記畳床２の側面には畳床２に内蔵したヒータ５と電気的に接続された栓刃１２が設けられており、この栓刃１２は前述した給電部材３の給電用接続部１１に備えた栓刃受け部１０に接続されて給電部材３とヒータ５とを電気的に接続するためのものであり、本実施形態においてはこの栓刃１２を給電部材接続部としている。なお、給電部材接続部は前述した２種の給電部材３ａ、３ｂの給電用接続部１１、１１のいずれにも接続できるものとする。
【００２９】
また、本実施形態における畳床２は前述した給電部材３ａの幅方向において一方の側面に配置される畳床２ｂと、同給電部材３ａの幅方向において他方の側面に配置される畳床２ｃとは給電部材接続部の配置する箇所が異なっている。すなわち、図２に示すように給電部材３ａの一方の側面に配置される畳床２ｂの給電部材３ａ側の側面に設けた給電部材接続部と、給電部材３ａの他方の側面に配置される畳床２ｃの給電部材３ａ側の側面に設けた給電部材接続部とは、畳床２の長手方向の中心箇所を介して長手方向に対称に配置され偏心されている。なお、給電部材３ｂに接続される畳床２としては、上記の給電部材３ａの幅方向において一方の側面に配置される畳床２ｂと、同給電部材３ａの幅方向において他方の側面に配置される畳床２ｃのどちらを使用しても良いものとする。
【００３０】
そして、図３に示すように設置面４に給電部材３を載設し、この給電部材３の畳床載置用片７に畳床２の給電部材３側の端部を載設すると共に、畳床２の給電部材接続部と給電部材３の栓刃受け部１０を図２の矢印に示すように接続して、給電部材接続部と給電用接続部１１、すなわち給電部材３の給電線と畳床２のヒータ５とが電気的に接続されることで、図１に示されるように畳床２と給電部材３とが配置された畳床暖房装置１が形成される。詳述すると、この場合、図３に示すように畳床２の幅方向における両端部がその両側に配置された給電部材３の畳床載置用片７に載設されており、また、畳床暖房装置１の幅方向において両端部に配置された畳床２ｄにおいても、擬似畳縁材６側の端部が擬似畳縁材６の畳床載置片に載置されている。なお、図３の１３は畳床２と設置面４との隙間に配される下地材である。
【００３１】
このように給電部材３の畳床載置用片７に畳床２の給電部材３側の端部を載設することで、畳床２は自重により給電部材３の畳床載置用片７に載置されてその位置に保持された状態となり、給電部材３は畳床２の重みにより設置面４から上方に浮き上がらないように保持された状態となっている。また畳床暖房装置１の幅方向において両端部に配置された畳床２ｄにおいては、給電部材３側の端部が給電部材３の畳床載置用片７に載置され且つ擬似畳縁材６側の端部が擬似畳床縁材６の畳床載置片７に載置され、上記と同様に給電部材３と擬似畳縁材６とは浮き上がらないように保持された状態となってる。
【００３２】
また、このように複数の畳床２を給電部材３に接続する場合、前述したように畳床暖房装置１は長尺状の給電部材３を有し、給電部材３の側面に給電用接続部１１を設けると共に畳床２の側面に給電部材接続部を設け、畳床２を側面が給電部材３の側面に沿うように配置し、給電部材３の給電用接続部１１に畳床２の給電部材接続部を電気的に接続しているので、給電部材３の幅方向における一側面に接続される複数の畳床２の給電部材接続部を同じ側面の同じ箇所に設けることができ、給電部材３の幅方向における一側面に接続される複数の畳床２全てを１種類の畳床２とすることができ、これにより畳床２の種類を少なくすることができ、コストの削減が行える。また、この場合、給電部材３の幅方向における一側面に接続される複数の畳床２は全て同じ種類とすることができるため、これにより自由に畳床２のレイアウトを変更することができるようになる。さらに、畳床２の給電部材接続部は給電部材３側の側面にのみ設けられているので、畳床２を接続する際に給電部材接続部が他の畳床２に干渉せず、畳床２を容易に給電部材３に接続することができる。また、上記では長手方向において隣合う畳床２は対向する側面が接するように配置された例が示しているが、畳床暖房装置１の床暖房の必要な箇所にのみヒータ５を内蔵した畳床２を配置すると共に床暖房の必要のない箇所にヒータ５を内蔵していない畳床２を設けても良く、この場合、床暖房が必要な箇所と必要でない箇所とを選択的に配置することができる。
【００３３】
また特に給電部材３の両側に畳床２を配置し、給電部材３の両側面の長手方向において位置を違わせた箇所に夫々給電用接続部１１を設けているので、給電部材３の幅を小さくして、畳床暖房装置１全体の小型化を行ったり、畳床２の面積を大きくしたりすることができる。
【００３４】
然して、畳床暖房装置１は設置面４に設置され、給電部材３の給電線から、各給電用接続部、各給電部材接続部１１と順に介して各畳床２に内蔵したヒータ５に電力を供給し、ヒータ５を加熱することで床暖房を行うことができる。
【００３５】
このように形成された畳床暖房装置１は前述した長尺状の畳縁を模した給電部材３を有している点、畳床暖房装置１の幅方向において両端部に配置された畳床２ｄの外側面に畳縁に模した擬似畳縁材６を配置している点、給電部材２の上面の幅方向の中央部に給電部材２の長手方向に全長に亘って伸びる畳間の隙間を模した溝９を形成した点、畳床２の上面を本物の畳表に模して形成している点、から畳床暖房装置１を本物の畳の外観に近いものとすることができる。
【００３６】
また、上記の畳床２と給電部材３と擬似畳縁材６とは本物の畳と同等の硬度を有する合成樹脂で形成されているため、人が畳床暖房装置１の上面を歩いた場合等に本物の畳同様、合成樹脂が変形して上面が沈み込み、これにより本物の畳と比しても違和感無く畳床暖房装置１を使用することができる。
【００３７】
また、この場合、給電部材３と設置面４との間にクッション材を設け、該クッション材により本物の畳と同等の沈み込みを再現しても良いものとする。
【００３８】
また、図４に示すように上記給電部材３の両側に畳床２を配置し、給電部材３の両側面の長手方向に直交する箇所に夫々給電用接続部１１を設け、各畳床２の側面の長手方向における中央位置に給電部材接続部を夫々設け、各給電用接続部１１に各畳床２の給電部材接続部を電気的に接続することも好ましく、このように構成することで、給電部材３の両側に配置される全ての畳床２を、同じ側面の同じ箇所に給電部材接続部を設けた１種類の畳床２で構成することができ、これによって畳床暖房装置１のコストをより一層削減でき、レイアウトの変更においてもより自由度が増す。
【００３９】
【発明の効果】
上記のように本発明の請求項１記載の発明にあっては、畳床暖房装置は長尺状の給電部材を有し、給電部材の側面に給電用接続部を設けると共に畳床の側面に給電部材接続部を設け、畳床を側面が給電部材の側面に沿うように配置し、給電部材の給電用接続部に畳床の給電部材接続部を電気的に接続することで、複数の畳床を給電部材に接続する場合、複数の畳床のヒータに給電することができるのは勿論のこと、尚且つこの場合、給電部材の一側面に接続される複数の畳床の給電部材接続部を同じ側面の同じ箇所に設けることができ、これにより畳床の種類を少なくし、コストの削減が行える。また、この場合、給電部材の幅方向における一側面に接続される複数の畳床は全て同じ種類とすることができ、これにより自由に畳床のレイアウトを変更することができるようになる。さらに、畳床の給電部材側の側面にのみ給電部材接続部を設けるだけなので、畳床を接続する際に給電部材接続部が他の畳床に干渉せず、畳床を容易に給電部材に接続することができる。
【００４０】
また請求項２記載の発明にあっては、上記請求項１記載の発明の効果に加えて、給電部材の両側に畳床を配置し、給電部材の両側面の長手方向において位置を違わせた箇所に夫々給電用接続部を設けることで、給電部材の幅を小さくすることができ、畳床暖房装置全体の小型化を行ったり、畳床の面積を大きくすることができる。
【００４１】
また請求項３記載の発明にあっては、上記請求項１記載の発明の効果に加えて、給電部材の両側に畳床を配置し、給電部材の両側面の長手方向に直交する箇所に夫々給電用接続部を設け、各畳床の側面の長手方向における中央位置に給電部材接続部を夫々設けることで、給電部材の両側に配置される全ての畳床を、同じ側面の同じ箇所に給電部材接続部を設けた１種類の畳床とすることができ、これによりより一層コストが削減でき、畳床のレイアウトの自由度が増す。
【００４２】
また請求項４記載の発明にあっては、上記請求項１〜３のいずれかに記載の発明の効果に加えて、給電部材の下端部に側方に突出する畳床載置用片を形成し、該畳床載置用片に畳床の側端部を載設することで、給電部材を畳床の重みにより浮き上がらないようにすることができる。
【００４３】
また請求項５記載の発明にあっては、上記請求項１〜４のいずれかに記載の発明の効果に加えて、給電部材の上面を畳縁を模した布で形成することで、簡単な構成で畳縁に模した給電部材を形成することができ、より一層のコストの削減を実現できる。
【００４４】
また請求項６記載の発明にあっては、上記請求項１〜５のいずれかに記載の発明の効果に加えて、給電部材の上面の幅方向の中央部に給電部材の長手方向に伸びる畳間の隙間を模した溝を形成することで、より一層畳床暖房装置の外観を本物の畳に近づけることができる。
【図面の簡単な説明】
【図１】本発明の畳床暖房装置の一実施形態を示すものであり、畳床と給電部材との接続を説明する平面視説明図である。
【図２】同上の畳床暖房装置を示す平面図である。
【図３】同上の畳床暖房装置の要部側断面図である。
【図４】上記とは異なる畳床暖房装置の実施形態を示すものであり、畳床と給電部材との接続を説明する平面視説明図である。
【図５】従来の畳床暖房装置を示す平面図である。
【符号の説明】
１　　畳床暖房装置
２　　畳床
３　　給電部材
５　　ヒータ
７　　畳床載置用片
８　　布
９　　溝
１１　給電用接続部
【図１】
2004060973.tif 000003
【図２】
2004060973.tif 000004
【図３】
2004060973.tif 000005
【図４】
2004060973.tif 000006
【図５】
2004060973.tif 000007